(57)【要約】【目的】地球温暖化の防止、ＣＯ２の削減を実現し、再生可能な循環型社会を構築するための切り札である太陽光発電を、従来より、非常に簡単、手軽に、且つ安価に実現するために、現在のブラインドの羽根板部に太陽電池の機能を付加したブラインド兼発電機を開発する。【構成】本発明の機器の外観は、従来のブラインドと、ほとんど同じである。但し、このブラインドの羽根板部には、太陽電池の機能が付加され、それらをフレキシブルな電線等で接続して、得られた電力が取り出せるようにした構成である。【選択図】図１
2006322300.tif 000002
【特許請求の範囲】
【請求項１】
ブラインドの機能と、そのブラインドの羽根板部に、太陽電池の機能を付加し、それらをフレキシブルな電線等で接続して、得られた電力が取り出せるようにした製品。
【請求項２】
ブラインドの機能と、そのブラインドの羽根板部に、太陽電池の機能を付加し、それらを、ひものように柔らかいフレキシブルな電線等で接続して、得られた電力が、取り出せるようにした製品。
【請求項３】
ブラインドの機能と、そのブラインドの羽根板部に、太陽電池の機能を付加し、それらを、各羽根板を吊しているひもを必要に応じて、フレキシブルな電線等にし、それと各羽根の一部を接続させて、電気的に接続して、得られた電力が、取り出せるようにした製品。
【請求項４】
ブラインドの機能と、そのブラインドの羽根板部に、太陽電池の機能を付加し、それらを、のこぎりの歯型のフレキシブルな電線等で接続して、得られた電力が、取り出せるようにした製品。
【請求項５】
ブラインドの機能と、そのブラインドの羽根板部に、太陽電池の機能を付加し、それらを、渦巻き型のフレキシブルな電線等で接続して、得られた電力が、取り出せるようにした製品。
【請求項６】
先ず、太陽電池の機能を付加した羽根板部分と、それに電気的に接続するフレキシブルな電線部、この単位のセットを連続して生産し、その後、これを適当なセットでカットして、加工して、本新製品に組立て、その電力が、取り出せるようにした製品。
【発明の詳細な説明】
【発明の詳細な説明】
【産業上の利用分野】
【０００１】  この発明は、太陽光発電を、非常に簡単、手軽に、且つ、安価に実現するために、これまでのブラインドに、太陽光発電の機能を付加したブラインド兼発電機に関するものである。
【背景技術】
【０００２】  地球温暖化を防止し、ＣＯ２の削減を実現する、地球環境に優しい太陽光発電に関して、腕時計とか、電卓等の小型の太陽電池は、非常に普及しているが、より大きな影響を与える中規模、及び、大規模な太陽光発電に関しては、屋根やベランダや庭にわざわざ設置スペースを確保し、しかも、設置費用もかけて、導入しなければならず、採算性等を考慮すると、補助無しで、積極的に導入する情況ではないと考えています。
【発明が解決しようとする課題】
【０００３】  地球温暖化を防止し、ＣＯ２の削減を図るためにも、この肝心の中規模、及び、大規模の太陽光発電を、もっと簡単で手軽に、しかも安価に、そして、早急に普及させるためには、どうすれば良いのかを課題として真剣に取り組んだ。
【課題を解決するための手段】
【０００４】  この地球環境に優しい、中規模、及び、大規模の太陽光発電を簡単、手軽に、しかも、安価に、そして、早急に普及させるためには、これまでのように、屋根とか、ベランダとか、庭等に、その設置スペースを設け、しかも、設置費用をかけて、設置するのでは無く、今、現在の建物に光等を取り込む窓あるいは壁に、取り付けてあるブラインドに、この太陽光発電の機能を付加するのが一番良い方法だと考えた。
【作用】
【０００５】  本新製品の考案により、従来の中規模の太陽光発電のように、設置場所として屋根とか、ベランダとか、庭等の広いスペースの確保は不要で、しかも、その設置費用もほとんど不要となる。
このブラインドの機能と、太陽光発電の機能を組み合せた本新製品は、色々な面で、画期的で理想的な素晴らしい製品である。
先ず、本新製品は、従来のブラインドの羽根板部に太陽電池の機能を付加したものであるから、ブラインドとしての従来の日よけと通風の調節機能は、そのまま有り、しかも、その設置場所は、これまで通りのブラインドの設置場所で良く、その設置スペースも、ほとんと増えない。
また、本新製品は、今まで、ブラインドとして単に、不要な太陽光として、カットするだけだった不要な太陽光をも発電に有効利用する優れもので、結局、適当な光さえ有れば、いつでも、どこでも発電出来、電力が得られる訳である。
つまり、本新製品により太陽光発電が、非常に簡単、手軽に、且つ、安価に実現出来る。しかも、本新製品は、地球温暖化の防止、ＣＯ２の削減も実現し、地球環境にも優しい良いところばかりの新製品である。
【実施例】
【０００６】  本発明の機器は、新製品なので、実際の実施例は、まだ無い。
本新製品の概要は、これまでのブラインドと、ほとんど同じで、その設置場所もこれまで通りで良い。そして、ブラインド本来の機能である、日よけと通風の調節機能も勿論、ＯＫである。
但し、このブラインドの各羽根板部に、最初から太陽電池の機能が付加されていたり、あるいは、シート状の太陽電池を貼り付ける等して太陽光発電の機能が追加されている。そして、これらの一枚一枚が独立している羽根板部の太陽電池をフレキシブルな電線等で接続して、そこで得られた電力を、取り出して、利用出来るようにしてある。ここで得られた電力の使用方法はユーザーの自由であり、どのようなニーズにも、最少のコストで対応出来るように、最も簡単な、取り出し口だけとしている。従って、各ユーザーは、自分のニーズに応じて必要なオプション（例えば、パワーコンディショナ、蓄電池、次のセットとの接続線等）を付加して、自分に最適な形にして使用して下さい。
また、本新製品は、出来れば太陽光だけでなく、室内の照明等でも発電出来るようにしていた方が、より使い易いのではないかと考えます。
尚、実際に本新製品を製造する場合には、窓の大きさにより、いろいろなサイズの製品が生産されると思いますが、特筆に価することは、その中でも、小型で携帯性等に工夫を加えた製品（一例として、上部の固定部に把手を付ける等した製品）は、特に窓際に限って設置する必要はなく、光あふれる戸外へ持って行き、広げれば、いつでも、どこでも電力を得ることが出来る。この様に、本新製品は、光さえ有れば、いつ、どこへ持って行ってもよく、非常に簡単、手軽に電力を得ることが出来る発電機でもある。つまり、携帯型太陽光発電機でもあるということです。
本新製品を作成する際、一番の難関となるのは、ブラインドのもともと、一枚一枚が離れている各羽根板に、太陽電池を付設したため、その電気的な接続方法が、非常に難しくなると言う、大問題が発生することです。このブラインドの各羽根板に付設した太陽電池の電気的な接続の方法については、私も、個人的に色々と考案しました。次に、その代表的な接続方法として、５例を記述致します。
（１）各羽根板部に付加した太陽電池を、ひものように柔らかいフレキシブルな電線等で接続する方法、
（２）各羽根板部に付加した太陽電池を、各羽根板を吊しているひもを必要に応じて、フレキシブルな電線等にし、それと各羽根の一部を接続させて、電気的に接続する方法
（３）各羽根板部に付加した太陽電池を、のこぎりの歯型のフレキシブルな電線等で接続する方法
（４）各羽根板部に付加した太陽電池を、渦巻き型のフレキシブルな電線等で接続する方法
（５）太陽電池の機能を付加した羽根板の部分とそれを電気的に接続する細いフレキシブルな電線部、この組合せのセットを連続して生産し、後で、これを適当なセットでカットして加工して、本新製品に組立てる方法。
【発明の効果】
【０００７】  これまで、中規模、又は、大規模な太陽光発電をする場合には、その設置場所（屋根、ベランダ、または、庭等）とか、その設置費用等が、必要であったが、本新製品の考案により、それらの心配はほとんど不要となる。
これまで通りのブラインドの設置場所に、本新製品を設置すれば、それで良い訳で、非常に、簡単、手軽に、且つ、安価に、太陽光発電が出来るようになる。
しかも、本新製品は、これまで、ブラインドで不要な光としてカットしていた太陽光をも有効利用して、太陽光発電を行うもので、これまでのブラインドの日よけと通風の調節機能は勿論、ＯＫ！！適当な光さえ有れば、いつでも、どこでも太陽光発電により電力が得られる訳で、電気代が節約出来る等、大変経済的です。
しかも、地球温暖化を防止し、ＣＯ２の発生も無く、地球に優しい。そして何より、非常に静かで安全であり、クリーンエネルギーの優等生である。
本新製品こそ、人類が、現在、直面している最大の難題、地球温暖化を防止し、ＣＯ２の削減を解決するための最適な製品である。
従って、本新製品を、一日も早く、開発、製品化して、これを、全世界に、普及させ、最大限に有効利用をして、子供達に、クリーンで美しい地球を残しましょう。
このように、本新製品は、地球環境を守り、再生可能な循環型社会の構築にも、大きく貢献する素晴らしい製品であると確信している。
【図面の簡単な説明】
【図１】  本発明の機器の一例の斜視図
【符号の説明】
（１）は、太陽電池機能を付加した羽根板部
（２）は、電力の取り出し口
【図１】
2006322300.tif 000003